(57)【要約】【課題】撚られて一体化された複数のケーブルの一部を撚り戻すことができる撚り戻し装置を提供する。【解決手段】分岐線巻取部１５が、巻取軸１５ａの回転により、分岐線４となるケーブルを巻き取る。ブランチ幹線２が貫通されるパイプ１０は、車輪１８及びギア部２０により、軸Ｌ１沿いに移動すると共に、軸Ｌ１を回転軸として回転する。このパイプ１０の移動、回転により、パイプ１０に固定された分岐線巻取部１５が、ブランチ幹線２の長手方向に沿って移動するとともに、ブランチ幹線２周りを回転する。これにより、巻取軸１５ａは、分岐線４となるケーブルを撚り戻しながら巻き取る。【選択図】図５
2005210879.tif 000002
【特許請求の範囲】
【請求項１】
複数のケーブルが撚られて一本化された撚り線の撚り戻し装置であって、
巻取軸の回転により、前記ケーブルを巻き取る巻取部と、
前記巻取部を前記撚り線周りに回転させる回転手段と、
前記巻取部が前記撚り線の長手方向に沿って相対的に移動するように、前記巻取部又は前記撚り線を移動させる移動手段とを備えたことを特徴とする撚り戻し装置。
【請求項２】
請求項１記載の撚り戻し装置であって、
前記回転手段は、前記撚り線が貫通される貫通穴が形成されると共に、前記巻取部が取り付けられた巻取取付部と、該巻取取付部を、前記貫通穴を通る軸を回転軸として、回転可能に保持する取付保持部とを有することを特徴とする撚り戻し装置。
【請求項３】
請求項２記載の撚り戻し装置であって、
前記巻取取付部は、前記貫通穴が形成された板状部を持ち、
前記板状部は、外周又は内周が円形に形成され、
前記取付保持部は、前記板状部の円形に形成された外周又は内周を回転可能に支持するための滑車を持つことを特徴とする撚り戻し装置。
【請求項４】
請求項２記載の撚り戻し装置であって、
前記巻取取付部は、円形の貫通穴が形成された板状部を持ち、
前記取付保持部は、前記板状部の内周を回転可能に支持するための滑車と、前記撚り線が貫通される貫通穴が形成され、前記滑車が取り付けられる保持板と、支持台によって支持されると共に、前記撚り線が搭載される搭載部とをさらに持ち、前記搭載部は、前記保持板の内周に取り付けられ、前記保持板を保持していることを特徴とする撚り戻し装置。
【請求項５】
請求項２〜４何れか１項記載の撚り戻し装置であって、
前記移動手段は、前記取付保持部に取り付けられ、該取付保持部を前記回転軸方向に沿って移動するための車輪を有していることを特徴とする撚り戻し装置。
【請求項６】
請求項５記載の撚り戻し装置であって、
前記回転手段は、前記車輪の回転を前記巻取取付部に伝動して、前記巻取取付部を回転させるためのギア部をさらに有することを特徴とする撚り戻し装置。
【請求項７】
請求項１〜６何れか１項記載の撚り戻し装置であって、
前記移動手段は、前記巻取部の両側に配置された一対の前記撚り線の巻取ドラムを有することを特徴とする撚り戻し装置。
【発明の詳細な説明】
【技術分野】
【０００１】
本発明は、複数のケーブルが撚られて一体化された撚り線の撚り戻し装置に関するものである。
【背景技術】
【０００２】
上述した撚り線の一例として、図９に示すようなケーブルブランチが知られている。同図に示すように、ケーブルブランチには、中心に支持線１があり、この支持線１周りに複数のケーブルが撚られて一体化されたブランチ幹線２が形成されている。上記支持線１の最上部には、ビルやマンションにて布設される際にフックなどに吊り下げるためのケーブルグリップ３が備え付けられている。
【０００３】
それぞれのケーブルは必要とされる任意の場所で任意の長さにてブランチ幹線２から分岐され、分岐線４となる。この分岐線４の根元は粘着テープ５等によって固定されており、端末にコネクタ６が付けられている。
【０００４】
次に、図９に示すケーブルブランチの製造方法について、説明する。まず最初に、支持線１の回りにケーブルを撚ってケーブル幹線２を形成する。このとき、それぞれのケーブルの長さは等しい。その後、一度撚られたケーブルを手作業にて撚り戻し、任意の場所で任意の長さにて、それぞれのケーブルを分岐し、端末にコネクタ６を取り付ける。
【０００５】
上述した従来では、分岐線４を形成するために、一度、撚られたケーブルを手作業にて撚り戻す必要がある。分岐線４の距離が長い場合（例えば、１０ｍ以上）、その分岐線４を撚り戻すために、手間と時間が非常にかかるという問題が発生する。
【０００６】
そこで、板状部材の上にケーブルブランチを載置し、これを加圧部材で板状部材に押しつけた状態で板状部材と相対的に加圧部材を変位させてそれぞれのケーブルの撚りを戻すようにした撚り戻し具が開発されている（特許文献１）。
【０００７】
しかしながら、上述した撚り戻し具では、支持線１に撚られている全てのケーブルが撚り戻され、一部のケーブルのみを撚り戻すことができないという問題点があった。また、上述した特許文献１以外に様々な撚り戻し方法や装置が考えられているが（例えば特許文献２〜６）、何れも支持線１に撚られている全てのケーブルが撚り戻され、一部のケーブルのみを撚り戻すことができないという問題点があった。
【特許文献１】特開平１１−８９０４０号公報
【特許文献２】特開平６−２２４２６号公報
【特許文献３】特開平８−２５０２５５号公報
【特許文献４】特開平８−３２９７５１号公報
【特許文献５】特開２００１−２５８１１７号公報
【特許文献６】実開平６−１５２２４号公報
【発明の開示】
【発明が解決しようとする課題】
【０００８】
そこで、本発明は、上記のような問題点に着目し、撚られて一体化された複数のケーブルの一部を撚り戻すことができる撚り戻し装置を提供することを課題とする。
【課題を解決するための手段】
【０００９】
上記課題を解決するためになされた請求項１記載の発明は、複数のケーブルが撚られて一本化された撚り線の撚り戻し装置であって、巻取軸の回転により、前記ケーブルを巻き取る巻取部と、前記巻取部を前記撚り線周りに回転させる回転手段と、前記巻取部が前記撚り線の長手方向に沿って相対的に移動するように、前記巻取部又は前記撚り線を移動させる移動手段とを備えたことを特徴とする撚り戻し装置に存する。
【００１０】
請求項１記載の発明によれば、巻取部が、巻取軸の回転により、ケーブルを巻き取る。回転手段が、巻取部を撚り線周りに回転させる。また、移動手段が、巻取部が撚り線の長手方向に沿って相対的に移動するように、巻取部又は撚り線を移動させる。従って、ケーブルの一端を巻取軸に固定した状態で、回転手段及び移動手段によって巻取部を相対的に移動、回転させつつ、巻取部内の巻取軸を回転させれば、巻取軸に撚り戻されたケーブルを巻き取ることができる。
【００１１】
請求項２記載の発明は、請求項１記載の撚り戻し装置であって、前記回転手段は、前記撚り線が貫通される貫通穴が形成されると共に、前記巻取部が取り付けられた巻取取付部と、該巻取取付部を、前記貫通穴を通る軸を回転軸として、回転可能に保持する取付保持部とを有することを特徴とする撚り戻し装置に存する。
【００１２】
請求項２記載の発明によれば、回転手段において巻取取付部には、撚り線が貫通される貫通穴が形成されると共に、巻取部が取り付けられている。取付保持部が、巻取取付部を、貫通穴を通る回転軸を中心として、回転可能に保持する。従って、巻取取付部の貫通穴に撚り線を貫通した状態で、巻取取付部を回転させれば、この巻取取付部に取り付けられた巻取部が撚り線周りを回転する。
【００１３】
請求項３記載の発明は、請求項２記載の撚り戻し装置であって、前記巻取取付部は、前記貫通穴が形成された板状部を持ち、前記板状部は、外周又は内周が円形に形成され、前記取付保持部は、前記板状部の円形に形成された外周又は内周を回転可能に支持するための滑車を持つことを特徴とする撚り戻し装置に存する。
【００１４】
請求項３記載の発明によれば、取付保持部において、滑車を用いて巻き取り取付部の板状部外周又は内周を回転可能に保持することによって、巻取取付部を回転可能に保持する。従って、滑車を用いて、簡単に巻取取付部を回転可能に保持することができる。
【００１５】
請求項４記載の発明は、請求項２記載の撚り戻し装置であって、前記巻取取付部は、円形の貫通穴が形成された板状部を持ち、前記取付保持部は、前記板状部の内周を回転可能に支持するための滑車と、前記撚り線が貫通される貫通穴が形成され、前記滑車が取り付けられる保持板と、支持台によって支持されると共に、前記撚り線が搭載される搭載部とをさらに持ち、前記搭載部は、前記保持板の内周に取り付けられ、前記保持板を保持していることを特徴とする撚り戻し装置に存する。
【００１６】
請求項４記載の発明によれば、取付保持部において、撚り線が貫通される貫通穴が形成された保持板に、滑車が取り付けられている。搭載部は支持台によって支持されると共に、撚り線が搭載される。搭載部は、保持板の内周に取り付けられ、保持板を保持している。従って、撚り線が搭載される搭載部を流用して、保持板を保持することができる。
【００１７】
請求項５記載の発明は、請求項２〜４何れか１項記載の撚り戻し装置であって、前記移動手段は、前記取付保持部に取り付けられ、該取付保持部を前記回転軸方向に沿って移動するための車輪を有していることを特徴とする撚り戻し装置に存する。
【００１８】
請求項５記載の発明によれば、移動手段が、取付保持部に取り付けられ、取付保持部を回転軸方向に沿って移動するための車輪を有する。従って、車輪によって、取付保持部を回転軸方向に沿って移動させることにより、取付保持部の移動範囲が制限されることがない。しかも、取付保持部を移動させることにより、装置が大型化せず、省スペース化を図ることができる。
【００１９】
請求項６記載の発明は、請求項５記載の撚り戻し装置であって、前記回転手段は、前記車輪の回転を前記巻取取付部に伝動して、前記巻取取付部を回転させるためのギア部をさらに有することを特徴とする撚り戻し装置に存する。
【００２０】
請求項６記載の発明によれば、回転手段において、ギア部が、車輪の回転を巻取取付部に伝動して、巻取取付部を回転させる。従って、ギア部を用いて、車輪の回転を巻取取付部に伝動して、巻取取付部を回転させるための駆動力とすることにより、車輪の駆動力と、巻取取付部を回転するための駆動力とを別々に発生させる必要がない。しかも、車輪の大きさや、ギア部のギア比を変更するだけで、簡単に、巻取取付部の軸沿いの移動に応じた、回転数を変えることができる。
【００２１】
請求項７記載の発明は、請求項１〜６何れか１項記載の撚り戻し装置であって、前記移動手段は、前記巻取部の両側に配置された一対の前記撚り線の巻取ドラムを有することを特徴とする撚り戻し装置に存する。
【００２２】
請求項７記載の発明は、巻取部の両側に一対の撚り線の巻取ドラムを配置する。以上の構成により、一方の巻取ドラムで撚り線を巻き取り、他方の巻取ドラムで撚り線を巻き戻すことにより、巻取部が撚り線の長手方向に沿って相対的に移動するように、撚り線を移動させる撚り線を移動することができる。また、一対の巻取ドラム間によって、撚り線を空中に保持することができるため、ケーブルの切断が容易に行える。
【発明の効果】
【００２３】
以上説明したように請求項１記載の発明によれば、ケーブルの一端を巻取軸に固定した状態で、回転手段及び移動手段によって巻取部を相対的に移動、回転させつつ、巻取部内の巻取軸を回転させれば、巻取軸に撚り戻されたケーブルを巻き取ることができるので、撚られて一体化された複数のケーブルの一部を撚り戻すことができる撚り戻し装置を得ることができる。
【００２４】
請求項２記載の発明によれば、巻取取付部の貫通穴に撚り線を貫通した状態で、巻取取付部を回転させれば、この巻取取付部に取り付けられた巻取部が撚り線周りを回転するので、簡単な構成で、巻取部の回転を行うことができる撚り戻し装置を得ることができる。
【００２５】
請求項３記載の発明によれば、滑車を用いて、簡単に巻取取付部を回転可能に保持することができるので、コストダウンを図った撚り戻し装置を得ることができる。
【００２６】
請求項４記載の発明によれば、撚り線が搭載される搭載部を流用して、保持板を保持することができるので、構成が簡単となりコストダウンを図った撚り戻し装置を得ることができる。
【００２７】
請求項５記載の発明によれば、車輪によって、取付保持部を回転軸方向に沿って移動させることにより、取付保持部の移動範囲が制限されることがないので、ケーブルの撚り戻し長さの制限がされない。しかも、取付保持部を移動させることにより、装置が大型化せず、省スペース化を図った撚り戻し装置を得ることができる。
【００２８】
請求項６記載の発明によれば、ギア部を用いて、車輪の回転を巻取取付部に伝動して、巻取取付部を回転させるための駆動力とすることにより、車輪の駆動力と、巻取取付部を回転するための駆動力とを別々に発生させる必要がない。しかも、車輪の大きさや、ギア部のギア比を変更するだけで、簡単に、巻取取付部の軸沿いの移動に応じた、回転数を変えることができるので、撚り線の長さに対するケーブルの巻数が異なる様々な撚り線に対応することができる撚り戻し装置を得ることができる。
【００２９】
請求項７記載の発明によれば、一方の巻取ドラムで撚り線を巻き取り、他方の巻取ドラムで撚り線を巻き戻すことにより、巻取部が撚り線の長手方向に沿って相対的に移動するように、撚り線を移動させる撚り線を移動することができる。また、一対の巻取ドラム間によって、撚り線を空中に保持することができるため、ケーブルの切断が容易に行える撚り戻し装置を得ることができる。
【発明を実施するための最良の形態】
【００３０】
第１実施形態
以下、本発明の撚り戻し装置を、図面に基づいて説明する。図１は、第１実施形態における本発明の撚り戻し装置を示す正面図である。図２は、図１に示す撚り戻し装置の側面図であり、図３は、図１に示す撚り戻し装置の上面図である。図１〜図３に示すように、撚り戻し装置は、撚り線であるブランチ幹線２を通す貫通穴１０ａが形成されたパイプ１０を備えている。このパイプ１０の長手方向両端には、ブランチ幹線２を通りやすくするためにローラーガイドを設けても良い。
【００３１】
パイプ１０の両端には、このパイプ１０が貫通すると共に、外周が円形の板状の回転部１１（＝板状部）が固定されている。図１に示すように、正面側の回転部１１（図２中の左側）には、上述したパイプ１０の周辺に設けられた中抜部１１ｂが設けられている。本実施形態において、中抜部１１ｂは、例えば４つ設けられている。
【００３２】
そして、撚り戻し装置には、上記回転部１１を保持するための回転保持板１２が設けられている。回転部１１の外周は、この回転保持板１２に固定された複数の滑車１３（図２、図３参照）にてパイプ１０の、軸Ｌ１を回転軸とした回転が可能に保持されている。また、回転部１１には、分岐線４（＝ケーブル）を通すためのローラガイド１４が取り付けられている。本実施形態では、ローラガイド１４を回転部１１に取り付けた場合について説明するが、例えば、パイプ１０に取り付けることも考えられる。
【００３３】
また、パイプ１０の正面側寄りには、巻取軸１５ａの回転により、分岐線４を巻き取るための分岐線巻取部１５（＝巻取部）が固定されている。この分岐線巻取部１５の下部には、巻取軸１５ａの軸Ｌ２を回転軸として回転させるためのモータ１６と、このモータ１６に電源を供給するモータ電源部１７とが設けられている。
【００３４】
また、撚り戻し装置は、パイプ１０を、その軸Ｌ１方向に移動するための移動手段として働く車輪１８を備えている。本実施形態では、車輪１８は、パイプ１０の軸Ｌ１方向に２つ設けられ、この２つの車輪１８は、キャタピラ１９によりつながっている。さらに、パイプ１０には、車輪１８の回転を、パイプ１０に伝動して、パイプ１０を軸Ｌ１を回転軸として回転させるためのギア部２０と、ギア部２０の一部を保持するための、ギア保持板２１とを備えている。
【００３５】
上述した構成から明らかなように、パイプ１０及び回転部１１が請求項中の巻取取付部を構成し、回転保持板１２及び滑車１３が請求項中の取付保持部を構成する。すなわち、パイプ１０、回転部１１、回転保持板１２及び滑車１３が請求項中の回転手段を構成する。
【００３６】
次に、上述したギア部２０の詳細な構成について、図４を参照して説明する。図４は、図２に示すギア保持板２１を除いた撚り戻し装置の側面図である。同図に示すように、ギア部２０は、車輪１８の車軸に固定され、車軸と同軸で回転するギア２０ａを有している。ただし、ギア２０ａは、車輪１８の紙面裏側にあるため、本来側面図では見えないが、ここでは見えるように書いてある。
【００３７】
また、ギア部２０は、パイプ１０の下部に配置され、車軸１８ａと平行な軸Ｌ３を中心として回転するギア２０ｂと、ギア２０ａの回転をギア２０ｂに伝えるベルト２０ｃと、ギア２０ｂとかみ合い、ギア２０ｂの回転に応じて、紙面上下方向の軸を中心として回転するギア２０ｄと、ギア２０ｄとかみ合うと共に、パイプ１０が貫通して固定され、ギア２０ｄの回転に応じて、パイプ１０の軸Ｌ１を中心として回転するリングギア２０ｅとを有している。
【００３８】
以上の構成によれば、車輪１８を回転させると、パイプ１０は軸Ｌ１を回転軸として回転する。これにより、パイプ１０に固定されている分岐線巻取部１５や、回転部１１を介してパイプに固定されているローラーガイド１４も、軸Ｌ１を回転軸として回転する。
【００３９】
次に、上述したパイプ１０の回転数の制御について説明する。パイプ１０の回転数は、車輪１８の回転数と連動するようになっている。すなわち撚り戻し装置がケーブルの撚りピッチ１個分、前進することにより、パイプ１０が１回転するようになっている。また、色々なピッチ（ブランチ幹線２の長さに対するケーブルの巻数）に対応するときには、車輪１８の大きさを変えることにより、対応できるように成っている。この例とは異なり、逆に車輪１８の大きさを変えずに、ギア部２０のギア比を変える機構を設けて、その回転数をよりピッチに合わせるようにしてもよい。なお、２２は、撚り戻し装置を、パイプ１０の軸方向に移動させるときにつかむグリップである。
【００４０】
上述した構成の撚り戻し装置の使用方法について、図５を参照して以下説明する。まず、ブランチ幹線２をパイプ１０に通し、ブランチ幹線２を切断する場所まで移動する。そして、ブランチ幹線２を切断し、分岐線４となるケーブルの撚り戻す側の端部を中抜部１１ｂ及びローラガイド１４を通して、分岐線巻取部１５の巻取軸１５ａに固定し、モータ電源１７を入れて張力をかける。
【００４１】
この状態で、車輪１８を回転させると、パイプ１０は、軸Ｌ１を中心として回転しながら、ブランチ幹線２の長手方向に沿って移動する。このパイプ１０の回転、移動により、パイプ１０に固定された分岐線巻取部１５は、ブランチ幹線２の長手方向に沿って移動すると共に、ブランチ幹線２周りを回転する。従って、分岐線巻取部１５を、ブランチ幹線２周りの撚り戻し方向に回転させれば、分岐線４は撚り戻されながら、巻取軸１５ａに巻き取られる。
【００４２】
そして、この撚り戻し装置をブランチ幹線２の任意の分岐点まで移動した後、分岐線４を分岐線巻取部１５及びローラガイド１４から外し、中抜部１１ｂを通して、撚り戻し装置から外すと、戻された分岐線４となる。以上の撚り戻し装置によれば、撚られて一体化された複数のケーブルの一部を撚り戻すことができる。
【００４３】
上述した撚り戻し装置によれば、パイプ１０の貫通穴１０ａにブランチ幹線２を通した状態で、パイプ１０を回転させると、このパイプ１０に取り付けられた分岐線巻取部１５がブランチ幹線２周りを回転する。このため、簡単な構成で、分岐線巻取部１５を回転させることができる。また、パイプ１０に回転部１１を固定して、この回転部１１の外周を滑車１３によって保持することにより、滑車１３を用いて、簡単にパイプ１０を回転可能に保持することができる。
【００４４】
また、上述した撚り戻し装置によれば、車輪１８によって、パイプ１０をその軸Ｌ１方向に沿って移動させている。例えば、エアシリンダなどを用いてパイプ１０を移動させた場合など、パイプ１０の移動範囲が制限されるが、上述したように車輪１８を用いることにより、パイプ１０の移動範囲が制限されることがないので、ケーブルの撚り戻し長さの制限がされることがない。しかも、車輪１８によって分岐線巻取部１５を移動することにより、ブランチ幹線２を移動させる装置を設ける場合に比べて、装置が大型化することなく、省スペース化を図ることができる。
【００４５】
さらに、上述した撚り戻し装置によれば、ギア部２０を用いて、車輪１８の回転をパイプ１０に伝動して、パイプ１０を回転させるための駆動力としている。これにより、車輪１８の駆動力と、パイプ１０を回転するための駆動力とを別々に発生させるモータを設ける必要がないので、コストダウンを図ることができる。しかも、上述したように車輪１８の大きさや、ギア部２０のギア比を変更するだけで、簡単に、パイプ１０の軸Ｌ１沿いの移動に応じた、パイプ１０の回転数を変えることができるので、ピッチが異なる様々な撚り線に対応することができる。
【００４６】
第２実施形態
なお、上述した第１実施形態では、分岐線巻取部１５の方を動かして、分岐線巻取部１５をブランチ幹線２の長手方向に沿って移動させていた。しかしながら、ブランチ幹線２の方を動かして、分岐線巻取部１５をブランチ幹線２の長手方向に沿って移動させることも考えられる。このような構成の撚り戻し装置の一例を図６〜図８に基づいて、以下説明する。
【００４７】
図６は、第２実施形態における本発明の撚り戻し装置を示す側面図である。図７は、図６に示す撚り戻し装置の上面図である。図８は、図６の撚り戻し装置を構成する撚り戻し部の部分正面図及び部分背面図である。図６及び図７に示すように、撚り戻し装置は、ブランチ幹線２を巻き取る一対の巻取ドラム３０ａ、３０ｂと、この巻取ドラム３０ａ、３０ｂを回転可能に保持する移動手段として働くドラム保持部３１ａ、３１ｂとを備えている。
【００４８】
上述した巻取ドラム３０ａを巻き戻し方向に、巻取ドラム３０ｂを巻き取り方向に回転させると、巻取ドラム３０ａ、３０ｂ間のブランチ幹線２が空中に保持された状態で、その長手方向である矢印Ｙ１方向に移動する。これにより、一対の巻取ドラム３０ａ、３０ｂ間に、ブランチ幹線２が空中に保持されるため、分岐線４の切断が容易に行えるようになる。
【００４９】
また、上述した一対の巻取ドラム３０ａ、３０ｂ間には、ブランチ幹線２を撚り戻す撚り戻し部５０と、この撚り戻し部５０を通過するブランチ幹線２の長さを計測する条長測定器６０とが配置されている。上述した撚り戻し部５０は、図示しないモータ５１ｂの駆動力により、巻取軸５１ａ（図８参照）を、軸Ｌ４を回転軸として回転させて、巻取軸５１ａ中央に分岐線４を巻き取る分岐線巻取部５１（＝巻取部）と、この分岐線巻取部５１をブランチ幹線２周りに回転可能に保持する回転保持部５２（＝回転手段）とから構成されている。
【００５０】
この回転保持部５２は、ブランチ幹線２が貫通される円形の貫通穴５３ａ（図８参照）が形成された一対の板状の回転部５３（＝板状部）と、一対の板状回転部５３間の矢印Ｙ１方向間を連結する連結部５４とを有しており、この連結部５４上に、分岐線巻取部５１が固定されて取り付けられている。また、回転部５３には、分岐線４を通すためのローラガイド５３ｂが取り付けられている。本実施形態では、ローラガイド５３ｂを回転部５３に取り付けた場合について、説明するが、例えば、連結部５４に取り付けることも考えられる。
【００５１】
回転保持部５２はさらに、ブランチ幹線２を貫通するための貫通穴５５ａが形成された一対の回転保持板５５（図８参照）を備えている。この回転保持板５５（＝保持板）は、外周が円形で、上述した回転部５３の貫通穴５３ａにそれぞれはめ込むことができる。また、回転保持板５５は、その外周に滑車５６が取り付けられており、この滑車５６によって回転部５３の内周を軸Ｌ５を回転軸とした回転可能に保持している。
【００５２】
また、回転保持部５２は、支持台５７によって水平に支持され、ブランチ幹線２が搭載される搭載部５８を備えている。この搭載部５８は、図８に示すように、上述した一対の回転保持板５５の内周に固定されて取り付けられている。また、搭載部５８には、矢印Ｙ１方向に動くコンベアが設けられている。以上のことから明らかなように、上述した回転部５３及び連結部５４が請求項中の巻取取付部を構成し、回転保持板５５、滑車５６、支持台５７及び搭載部５８が請求項中の取付保持部を構成する。つまり、回転部５３、連結部５４、回転保持板５５、滑車５６、支持台５７及び搭載部５８が請求項中の回転手段に相当する。
【００５３】
さらに、上述した図６中紙面右側の回転部５３には、その背面側に、中央に貫通穴が形成され、軸Ｌ５を回転軸として回転可能なリングギア５９ａが取り付けられている。また、支持台５７に支持されたモータＭには、軸Ｌ６を回転軸として回転するギア５９ｂが取り付けられている。このギア５９ｂ及びリングギア５９ａを介して、支持台５７に支持されたモータＭの駆動力が回転部５３に伝達され、回転部５３が軸Ｌ５を回転軸として回転する。
【００５４】
一方、条長測定器６０は、ブランチ幹線２を上下方向から挟む一対のローラ６１と、ブランチ幹線２を左右方向から挟む二対のローラ６２と、これらローラ６１、６２を支持する支持台６３とから構成され、例えば、ローラ６１、６２の回転数から巻き戻し部５０を通過するブランチ幹線２の長さが計測可能となっている。
【００５５】
上述した構成の撚り戻し装置の使用方法について、以下説明する。まず、巻取ドラム３１ａに巻き取られているブランチ幹線２を巻き戻して、条長測定器６０、撚り戻し部５０を介して巻取ドラム３１ｂに固定する。なお、撚り戻し部５０において、ブランチ幹線２は、搭載部５８上に置かれた状態で、一対の回転部５３中央の貫通穴５５ａを貫通している。
【００５６】
次に、巻取ドラム３１ａを巻き戻し方向に、巻取ドラム３１ｂを巻き取り方向に回転させて、ブランチ幹線２の切断位置が撚り戻し部５０と条長測定器６０との間に来るように、条長測定器６０にてブランチ幹線２の移動距離を確認しながら、ブランチ幹線２を矢印Ｙ１方向に移動させる。次に、切断位置で切断後、分岐線４を分岐線巻取部５１の巻取軸５１ａに固定する。
【００５７】
その後、巻取ドラム３１ａを巻き戻し方向に、巻取ドラム３１ｂを巻き取り方向に回転させて、ブランチ幹線２を矢印Ｙ１方向に移動させると共に、モータＭによってギア５９ｂ、リングギア５９ａを介して回転部５３を軸Ｌ４を回転軸として回転させる。これにより、分岐線巻取部５１がブランチ幹線２周りを回転する。さらに、モータ５１ｂによって分岐線巻取部５１の巻取軸５１ａを回転させる。これにより、分岐線４は撚り戻されながら、巻取軸５１ａに巻き取られる。
【００５８】
そして、ブランチ幹線２の任意の分岐点まで、ブランチ幹線２を移動した後、分岐線４を分岐線巻取部５１及びローラガイド５３ｂから外すと、戻された分岐線４となる。以上のように撚り戻し装置を構成しても、撚られて一体化された複数のケーブルの一部を撚り戻すことができる。
【００５９】
上述した撚り戻し装置によれば、搭載部５８上にブランチ幹線２を搭載させ、さらに、回転部５３の貫通穴５３ａにブランチ幹線２を通した状態で、回転部５３を回転させると、連結部５４を介して回転部５３に取り付けられた分岐線巻取部５１がブランチ幹線２周りを回転する。このため、簡単な構成で、分岐線巻取部５１を回転させることができる。また、回転部５３の内周を滑車５６によって保持することにより、滑車５６を用いて、簡単に回転部５３を回転可能に保持することができる。
【００６０】
また、上述した撚り戻し装置によれば、搭載部５８は、回転保持板５５の内周に取り付けられ、回転保持板５５を保持している。これにより、ブランチ幹線２が搭載される搭載部５８を流用して、回転保持板５５を支持することができる。また、搭載部５８にコンベアを設けることにより、ブランチ幹線２の移動がスムーズに行えるようになっている。
【図面の簡単な説明】
【００６１】
【図１】第１実施形態における本発明の撚り戻し装置を示す正面図である。
【図２】図１に示す撚り戻し装置の側面図である。
【図３】図１に示す撚り戻し装置の上面図である。
【図４】図２に示すギア保持板２１を取り除いた撚り戻し装置の側面図である。
【図５】図１〜図４に示す撚り戻し装置の使用方法を説明するための図である。
【図６】第２実施形態における本発明の撚り戻し装置を示す側面図である。
【図７】図６の撚り戻し装置の上面図である。
【図８】図６の撚り戻し装置を構成する撚り戻し部の部分正面図及び背面図である。
【図９】撚り線の一例である巻付け型のケーブルブランチを示す図である。
【符号の説明】
【００６２】
２      ブランチ幹線（撚り線）
４      分岐線（ケーブル）
１０    パイプ（巻取取付部）
１１    回転部（板状部）
１２    回転保持板（取付保持部）
１３    滑車
１５ａ  巻取軸
１５    分岐線巻取部（巻取部）
１８    車輪（移動手段）
２０    ギア部
３０ａ  巻取ドラム
３０ｂ  巻取ドラム
５１ａ  巻取軸
５１    分岐線巻取部（巻取部）
５２    回転保持部（回転手段）
５３    回転部（板状部）
５４    連結部
５５    回転保持板（保持板）
５６    滑車
５７    支持台
５８    搭載部
【図１】
2005210879.tif 000003
【図２】
2005210879.tif 000004
【図３】
2005210879.tif 000005
【図４】
2005210879.tif 000006
【図５】
2005210879.tif 000007
【図６】
2005210879.tif 000008
【図７】
2005210879.tif 000009
【図８】
2005210879.tif 000010
【図９】
2005210879.tif 000011